(57)【要約】【課題】映像データに関連する音声データに応じてその映像データに所定の特殊効果を加える機能を有する装置を提供する。【解決手段】特殊効果部１０５は、音声処理部１０４から供給された音声データを解析し、解析した音声データが所定のパターンに対応するか否かを判定する。特殊効果部１０５はさらに、解析した音声データが所定のパターンに対応すると判定した場合、映像処理部１０３から供給された映像データ（音声データに関連するもの）に所定の特殊効果を加える。【選択図】      図１
2004159257.tif 000002
【特許請求の範囲】
【請求項１】
映像データと前記映像データに関連する音声データとを再生する再生装置であって、
前記音声データを解析し、解析した前記音声データが所定のパターンに対応するか否かを判定する手段を有し、
解析した前記音声データが所定のパターンに対応する場合、前記映像データに所定の特殊効果を加えることを特徴とする再生装置。
【請求項２】
映像データと前記映像データに関連する音声データとを再生するプログラムであって、
前記音声データを解析する工程と、
解析した前記音声データが所定のパターンに対応するか否かを判定する工程と、
解析した前記音声データが所定のパターンに対応する場合、前記映像データに所定の特殊効果を加える工程とを有することを特徴とするプログラム。
【発明の詳細な説明】
【０００１】
【発明の属する技術分野】
本発明は、記憶媒体から映像データとそれに関連する音声データを再生する再生装置およびプログラムに関するものである。
【０００２】
【従来の技術】
映像データとそれに関連する音声データを再生する装置の一つにデジタルビデオプレーヤがある。また、コンピュータにおいて実行可能なアプリケーションソフトウェアの中にも映像データとそれに関連する音声データを再生できるものがある。
【０００３】
【発明が解決しようとする課題】
しかしながら、デジタルビデオプレーヤなどの装置には、映像データに関連する音声データに応じてその映像データに所定の特殊効果を加えるような機能はなかった。また、コンピュータにおいて実行可能なアプリケーションソフトウェアにもこのような機能はなかった。
【０００４】
本発明は、このような課題にかんがみてなされたものであり、映像データに関連する音声データに応じてその映像データに所定の特殊効果を加える機能を有する再生装置およびプログラムを提供することを目的とする。
【０００５】
【課題を解決するための手段】
本発明における再生装置は、映像データと前記映像データに関連する音声データとを再生する再生装置であって、前記音声データを解析し、解析した前記音声データが所定のパターンに対応するか否かを判定する手段を有し、解析した前記音声データが所定のパターンに対応する場合、前記映像データに所定の特殊効果を加えることを特徴とするものである。
【０００６】
本発明におけるプログラムは、映像データと前記映像データに関連する音声データとを再生するプログラムであって、前記音声データを解析する工程と、解析した前記音声データが所定のパターンに対応するか否かを判定する工程と、解析した前記音声データが所定のパターンに対応する場合、前記映像データに所定の特殊効果を加える工程とを有することを特徴とするものである。
【０００７】
【発明の実施の形態】
以下、図１〜図２を参照し、本発明における実施の形態を説明する。
【０００８】
図１は、本実施の形態における再生装置であるデジタルビデオプレーヤ１０の主要な構成を示す図である。
【０００９】
図１において、記憶媒体１０１は、磁気テープ、光磁気ディスク、半導体メモリ、ハードディスク装置などの記憶媒体である。記憶媒体１０１は、映像データおよびそれに関連する音声データを記憶するものである。再生部１０２は、記憶媒体１０１から映像データおよびそれに関連する音声データを再生するユニットである。映像処理部１０３は、再生部１０２から供給された映像データをデコードするユニットである。音声処理部１０４は、再生部１０２から供給された音声データをデコードするユニットである。特殊効果部１０５は、音声処理部１０４から供給された音声データを解析し、解析した音声データが所定のパターン（例えば、拍手の音の周波数特性に対応するパターン）に対応するか否かを判定するユニットである。特殊効果部１０５はさらに、解析した音声データが所定のパターンに対応すると判定した場合、映像処理部１０３から供給された映像データに所定の特殊効果（紙吹雪が舞う様子などを表す複数枚の画像データを映像データに合成する処理、映像データの色を変化させる処理など）を加えるユニットでもある。なお、特殊効果部１０５は、マイクロコンピュータなどによって実行可能なプログラムによって実現することも可能である。メモリ１０６は、特殊効果に必要な複数枚の画像データを記憶するメモリである。映像出力部１０７は、特殊処理部１０５から供給された映像データを出力するための端子である。音声出力部１０８は、音声処理部１０４から供給された音声データを出力するための端子である。
【００１０】
図２は、デジタルビデオプレーヤ１０の機能の一つである特殊効果モードを説明するフローチャートである。なお、特殊効果モードのオン／オフはユーザによって行われるものとする。
【００１１】
ステップＳ２０１：特殊効果部１０５は、特殊効果モードがオンであるか否かを判定する。特殊再生モードがオンであると判定した場合はステップＳ２０２に進む。
【００１２】
ステップＳ２０２：特殊効果部１０５は、音声処理部１０４から供給された音声データを解析する。
【００１３】
ステップＳ２０３：特殊効果部１０５は、解析した音声データが所定のパターン（例えば、拍手の音の周波数特性に対応するパターン）に対応するか否かを判定する。解析した音声データが所定のパターンに対応すると判定した場合はステップＳ２０４に進む。
【００１４】
ステップＳ２０４：特殊効果部１０５は、映像処理部１０３から供給された映像データに所定の特殊効果（紙吹雪が舞う様子を表す複数枚の画像データを映像データに合成する処理、映像データの色を変化させる処理など）を加える。
【００１５】
このように、本実施の形態におけるデジタルビデオプレーヤ１０によれば、映像データに関連する音声データに応じてその映像データに所定の特殊効果を加えることができる。また、所定の特殊効果を加えた映像データによってユーザを楽しませることもできる。
【００１６】
（他の実施の形態）
なお、本発明は上述の実施の形態において実現可能なものではなく、他の形態においても実現可能である。例えば、本発明はデジタルビデオプレーヤ以外の再生装置（例えば、デジタルビデオカメラ）においても、マイクロコンピュータ以外のコンピュータによって実行可能なプログラムにおいても実現可能である。従って、本発明は上述の実施の形態に限定されるものではない。
【００１７】
【発明の効果】
本発明によれば、映像データに関連する音声データに応じてその映像データに所定の特殊効果を加える機能を有する再生装置およびプログラムを提供することができる。
【図面の簡単な説明】
【図１】本実施の形態における再生装置であるデジタルビデオプレーヤ１０の主要な構成を示す図である。
【図２】デジタルビデオプレーヤ１０の機能の一つである特殊効果モードを説明するフローチャートである。
【符号の説明】
１０  デジタルビデオプレーヤ（再生装置）
１０１  記憶媒体
１０２  再生部
１０３  映像処理部
１０４  音声処理部
１０５  特殊効果部
１０６  メモリ
１０７  映像出力部
１０８  音声出力部
【図１】
2004159257.tif 000003
【図２】
2004159257.tif 000004